(57)【要約】【課題】  撤去作業に邪魔になる他のケーブルをケーブルピットにおける撤去作業領域から揚重し、一時的に上方に効率よく移動させる装置および方法を提供する。【解決手段】  ケーブルの揚重装置１は、ケーブルピットＰに敷設されたケーブルＣ２を支持した状態で上方に揚重する装置であって、一対の柱脚３の上部間を横梁４で連結した門型の枠体２と、柱脚３に沿って設けた昇降部５と、昇降部５に昇降自在に設けたケーブルの支持体６と、横梁４の上側に配置された回転駆動部８とを備えている。そして、前記支持体６は内ネジが形成された連結部１６と、その連結部１６に螺合される長ボルト１７を有し、回転駆動部８の出力軸が長ボルト１７に連結され、ケーブルピットＰを跨ぐように前記門型の枠体２を設置した状態で、前記支持体６に揚重すべきケーブルＣ２を支持するように構成されている。【選択図】        図１
2009201289.tif 000002
【特許請求の範囲】
【請求項１】
ケーブルピットＰに敷設されたケーブルＣ２を支持した状態で上方に揚重する装置であって、一対の柱脚(3)の上部間を横梁(4)で連結した門型の枠体(2)と、柱脚(3)に沿って設けた昇降部(5)と、昇降部(5)に昇降自在に設けられたケーブルの支持体(6)と、横梁(4)の上側に配置された回転駆動部(8)とを備え、
前記支持体(6)には、内ネジが形成された連結部(16)と、その連結部(16)に螺合される長ボルト(17)を有し、回転駆動部(8)の出力軸が長ボルト(17)に連結され、
ケーブルピットＰを跨ぐように前記門型の枠体(2)を設置した状態で、前記支持体(6)に揚重すべきケーブルＣ２を支持するように構成されていることを特徴とするケーブルの揚重装置。
【請求項２】
請求項１において、一方の柱脚(3)が横梁(4)に対してその長手方向にスライド自在に連結されることを特徴とするケーブルの揚重装置。
【請求項３】
請求項２において、一対の柱脚(3)にそれぞれ前記昇降部(5)が設けられ、それら昇降部(5)にはそれぞれケーブルの支持体(6)が設けられ、さらに昇降部(5)ごとに回転駆動部(8)が配置され、各回転駆動部(8)はスライド自在に横梁(4)の上側に配置されることを特徴とするケーブルの揚重装置。
【請求項４】
請求項３において、前記各回転駆動部(8)は磁石装置(7a)からなる支持台(7)を介してスライド自在に横梁(4)の上側に配置されることを特徴とするケーブルの揚重装置。
【請求項５】
請求項１ないし請求項４のいずれかにおいて、昇降部(5)の上下方向に複数のケーブルの支持体(6)が所定間隔に設けられていることを特徴とするケーブルの揚重装置。
【請求項６】
請求項１ないし請求項５のいずれかにおいて、ケーブルの支持体(6)は昇降部(5)から斜め上方に延長したアーム(6a)で構成されていることを特徴とするケーブルの揚重装置。
【請求項７】
請求項１ないし請求項６のいずれかにおいて、回転駆動部(8)の出力軸が横梁(4)の長手方向に延長され、その出力軸と上下方向に延長する長ボルト(17)が９０度方向変換用のギア機構(11)で互いに連結されていることを特徴とするケーブルの揚重装置。
【請求項８】
ケーブルピットＰに敷設されたケーブルＣ２を支持した状態で上方に揚重する方法であって、請求項１ないし請求項７のいずれかに記載の揚重装置(1)を用い、ケーブルピットＰを跨ぐように揚重装置(1)の枠体(2)を設置した状態で、その支持体(6)に揚重すべきケーブルＣ２を支持し、回転駆動部(8)を駆動して昇降部(5)の支持体(6)を上昇してケーブルＣ２を揚重することを特徴とするケーブルの揚重方法。
【発明の詳細な説明】
【技術分野】
【０００１】
本発明はケーブルピットに敷設されたケーブルを撤去する際に、撤去の邪魔になる他のケーブルを上方に揚重して撤去作業領域から離反するための揚重装置及び揚重方法に関する。
【背景技術】
【０００２】
各種プラント、工場等の電機設備に使用される制御盤などに接続される各種のケーブルは一般にケーブルピットに敷設される。制御盤などの更新時に使用しなくなったケーブルはケーブルピットから撤去する必要がある。通常、ケーブルピットには各種設備に用いられる多数のケーブルが積み重なった状態で敷設されているが、撤去すべきケーブルを引き抜き又は切断等の処理により撤去する際に、撤去すべきケーブルが他のケーブルの下方にある場合は、先ず邪魔となる他のケーブルを横に寄せるなどして撤去すべきケーブルの上方を露出させ、次に撤去すべきケーブルを引き抜くなどの方法が採用されている。
【０００３】
しかし、撤去すべきケーブルの近くに邪魔になる他のケーブルが存在すると、撤去すべきケーブルを引き抜き若しくは切断する際に損傷を与える恐れがあるので細心の注意が必要となる。
【０００４】
ケーブルの撤去装置や撤去方法が特許文献１や特許文献２に記載されている。特許文献１の装置は、撤去すべきケーブルをクランプして油圧により引き抜くようになっている。しかしこの装置を用いてケーブルを引き抜くには、最初に撤去すべきケーブルをクランプする必要があるが、撤去すべきケーブルが他のケーブルの下方に埋もれている場合はクランプ操作が困難になる。
【０００５】
特許文献２に記載された撤去方法は、撤去すべきケーブルが他のケーブルの下方に埋もれている場合でも、補助具を用いることにより他のケーブルへの損傷を少なくして、撤去すべきケーブルを横方向に引き抜くことができる。しかしケーブルピットからケーブルを引く抜く場合、ケーブルを斜め上方に引っ張らなければならないことが多いので、この方法では適用対象が制限される。
【０００６】
【特許文献１】特開２００４−１４７４７８号公報
【特許文献２】特開２００１−２５８１１５号公報
【発明の開示】
【発明が解決しようとする課題】
【０００７】
一方撤去に際して、邪魔になる他のケーブルが損傷を受けることのないように、他のケーブルを撤去作業領域から一時的に他の場所に効率よく移動させる手段があれば好都合である。しかし効率の良いそのような装置や方法などは知られていない。そこで本発明は、撤去作業に際して邪魔になる他のケーブルを、撤去の作業領域から揚重して一時的に他の領域に効率よく移動させる装置および方法を提供することを課題とする。
【課題を解決するための手段】
【０００８】
前記課題を解決する本発明のケーブルの揚重装置は、ケーブルピットに敷設されたケーブルを支持した状態で上方に揚重する装置であって、一対の柱脚の上部間を横梁で連結した門型の枠体と、柱脚に沿って設けた昇降部と、昇降部に昇降自在に設けられたケーブルの支持体と、横梁の上側に配置された回転駆動部とを備え、
前記支持体には、内ネジが形成された連結部と、その連結部に螺合される長ボルトを有し、回転駆動部の出力軸が長ボルトに連結され、
ケーブルピットを跨ぐように前記門型の枠体を設置した状態で、前記支持体に揚重すべきケーブルＣ２を支持するように構成されていることを特徴とする（請求項１）。
【０００９】
上記ケーブルの揚重装置において、一方の柱脚を横梁に対しその長手方向にスライド自在に連結することができる（請求項２）。
【００１０】
上記一方の柱脚を横梁に対しその長手方向にスライド自在に連結するケーブルの揚重装置において、一対の柱脚にそれぞれ前記昇降部を設け、それら昇降部にそれぞれケーブルの支持体を設け、さらに昇降部ごとに回転駆動部を配置し、各回転駆動部をスライド自在に横梁の上側に配置することができる（請求項３）。
【００１１】
上記一対の柱脚にそれぞれ前記昇降部を設けたケーブルの揚重装置において、磁石装置からなる支持台を介して前記各回転駆動部をスライド自在に横梁の上側に配置することができる（請求項４）。
【００１２】
上記いずれかのケーブルの揚重装置において、昇降部の上下方向に複数のケーブル支持体を所定間隔で設けることができる（請求項５）。
【００１３】
さらに上記いずれかのケーブルの揚重装置において、ケーブルの支持体を昇降部から斜め上方に延長したアームで構成することができる（請求項６）。
【００１４】
上記いずれかのケーブルの揚重装置において、回転駆動部の出力軸を横梁の長手方向に延長し、その出力軸と上下方向に延長する長ボルトを９０度方向変換用のギア機構で互いに連結することができる（請求項７）。
【００１５】
前記課題を解決する本発明のケーブルの揚重方法は、ケーブルピットに敷設されたケーブルを載置した状態で上方に揚重する方法である。そして上記いずれかのケーブルの揚重装置を用い、ケーブルピットを跨ぐように揚重装置の枠体を設置した状態で、その支持体に揚重すべきケーブルを載置し、回転駆動部を駆動して昇降部の支持体を上昇してケーブルを揚重することを特徴とする（請求項８）。
【発明の効果】
【００１６】
本発明のケーブルの揚重装置は、請求項１に記載のように、ケーブルピットを跨ぐように門型の枠体を設置した状態で、揚重すべきケーブル（撤去に邪魔になるケーブル）を支持体に支持させることができる。そしてケーブルを支持した状態の支持体を昇降部で上昇させると、揚重すべきケーブルがケーブルピットの上方に揚重されるので、ケーブルピットの下方に敷設されている撤去すべきケーブルを露出させることができる。そして露出したケーブルは容易に切断または引き抜き処理等により撤去することができ、その際、撤去作業の邪魔になる他のケーブルは、ケーブルピットの上方に移動されているので撤去作業に際して損傷を受ける恐れはない。なお、撤去すべきケーブルがケーブルピットから撤去された後は、昇降部を下降させることにより、支持体に支持した状態のケーブルを元の場所に容易に戻すことができる。
【００１７】
上記ケーブルの揚重装置において、請求項２に記載のように、一方の柱脚を横梁に対しその長手方向にスライド自在に連結することができる。このように一方の柱脚を横梁に対しその長手方向にスライド自在に連結することにより、ケーブルピットの幅が異なっても、その幅に応じて一方の柱脚を横梁に対しその長手方向にスライドし、一対の柱脚の間隔をケーブルピットの幅に適合させることができる。
【００１８】
上記の一方の柱脚を横梁に対しその長手方向にスライド自在に連結するケーブルの揚重装置において、請求項３に記載のように、一対の柱脚にそれぞれ前記昇降部を設け、それら昇降部にそれぞれケーブルの支持体を設け、さらに昇降部ごとに回転駆動部を配置し、各回転駆動部をスライド自在に横梁の上側に配置することができる。このように構成すると、一方の柱脚だけに支持体を設ける場合と比べ２倍のケーブルを支持することができるので、撤去すべきケーブルの上に邪魔になるケーブルがより多く存在する場合でも、それらのケーブルを一挙に揚重することができる。しかもケーブルピットの幅が異なる場合でもそれに容易に適応できる。
【００１９】
上記の一対の柱脚にそれぞれ前記昇降部を設けたケーブルの揚重装置において、請求項４に記載のように、磁石装置からなる支持台を介して前記各回転駆動部をスライド自在に横梁の上側に配置することができる。このように支持台を介して前記各回転駆動部をスライド自在に横梁の上側に配置すると、一対の柱脚の間隔をケーブルピットの幅に適合するように変更した場合に、回転駆動部の配置位置をそれに応じて容易に変更できると共に、回転駆動部を安定した状態で横梁の上側に配置できる。
【００２０】
上記いずれかのケーブルの揚重装置において、請求項５に記載のように、昇降部の上下方向に複数のケーブル支持体を所定間隔で連結することができる。このように構成すると、より一度に多数のケーブルを支持して上方に揚重することができる。
【００２１】
さらに上記いずれかのケーブルの揚重装置において、請求項６に記載のように、ケーブルの支持体を昇降部から斜め上方に延長したアームで構成することができる。このようにケーブルの支持体を昇降部から斜め上方に延長したアームで構成すると、ケーブルを支持体に対して斜め上方から滑らせるだけで、容易にケーブルを支持体に載置して支持することができ、さらに支持したケーブルは揚重過程において又は撤去作業後の下降過程において、他から振動や襲撃を受けても安定した状態で支持できる。
【００２２】
上記いずれかのケーブルの揚重装置において、請求項７に記載のように、回転駆動部の出力軸を横梁の長手方向に延長し、その出力軸と上下方向に延長する長ボルトを９０度方向変換用のギア機構で互いに連結することができる。一般に減速機構付の電動機などで構成される回転駆動部は高さ方向より出力軸方向が長くなっているので、上記のように構成すると、横梁の上側に配置する回転駆動部の安定性がよくなる。そして９０度方向変換用のギア機構を用いることにより、横方向に配置した回転駆動部の出力軸を上下方向に延長する長ボルトに対して容易に連結することができる。
【００２３】
前記課題を解決する本発明のケーブルの揚重方法は、請求項８に記載のように、上記いずれかのケーブルの揚重装置を用いている。そしてケーブルピットを跨ぐように揚重装置の枠体を設置した状態で、その支持体に揚重すべきケーブルを載置し、回転駆動部を駆動して昇降部の支持体を上昇してケーブルを揚重することを特徴とする。本方法によれば、撤去作業の邪魔になる他のケーブルを容易に揚重して撤去領域から離反させることができる。そのため撤去作業が容易になると共に、邪魔になる他のケーブルが撤去作業に際して損傷を受ける恐れもなくなる。
【発明を実施するための最良の形態】
【００２４】
次に図面に基づいて本発明の最良の実施形態を説明する。図１は本発明に係る揚重装置の全体構成を模式的に示す断面図、図２は図１の平面図である。揚重装置１は、一対の柱脚３の上部同士を横梁４で連結した門型の枠体２、２つの柱脚３に沿って個々に設けた昇降部５、２つの昇降部５にそれぞれ連結された複数の支持体６、横梁４の上側に磁石装置７ａからなる支持台７を介して横梁４の上側に配置された２つの回転駆動部８、制御部９、操作部１０及び９０度方向変換用のギア機構１１を備えている。
【００２５】
図１に示すように、ケーブルピットＰは例えば基礎面Ｆ．Ｌから下方に断面方形な溝状に形成され、揚重装置１は一対の柱脚３をケーブルピットＰの両縁部における基礎面Ｆ．Ｌに配置してその幅方向に跨るように設置される。その際、揚重装置１をケーブルピットＰの両縁部に安定して配置するため、一対の柱脚３の下部には、それに直交してそれぞれＬ型の支持板３ａが固定されている。
【００２６】
門型の枠体２を構成する柱脚３と横梁４は、いずれも断面コ字型の鋼材で構成され、図２に示すように、右側に配置される柱脚３は横梁４にボルト等の固定具１２で連結され、左側に配置される柱脚３は横梁４に対しその軸方向にスライド自在に連結される。本実施形態では、横梁４を構成する鋼材のフランジ部と柱脚３を構成する鋼材のフランジ部をシャコ万力などの締結具１３を２つ用いて着脱自在に固定している。
【００２７】
上記のように門型の枠体２を構成する一方の柱脚３は、横梁４に対しその軸方向にスライド自在に連結するように構成されている。そのため揚重装置１をケーブルピットＰの両縁部に配置する際に、先ず枠体２の右側の柱脚３をケーブルピットＰの片側の縁部に位置決めして配置し、次にケーブルピットＰの反対側の縁部に左側の柱脚３を位置決めして配置した後、左側の柱脚３を横梁４に対し締結具１３で固定することができる。このようにしてケーブルピットＰの幅が異なっても、本発明の揚重装置１を容易にその幅に適用することができる。
【００２８】
図２にはケーブルピットＰの長さ方向に所定間隔で２つの揚重装置１を配置した状態が示されている。このように２つの揚重装置１を用いると、揚重すべきケーブルをその長手方向の２箇所で支持して揚重することができるので、撤去すべきケーブルの作業領域をより拡大できる利点がある。しかし、場合によっては１つの揚重装置１だけを配置してケーブルの揚重操作を行うこともできる。
【００２９】
昇降部５は細長いコ字状の型鋼材からなる可動体１５と、その可動体１５を昇降自在に案内する固定ガイド体１９とを有する。そしてその固定ガイド体１９は、柱脚３に固定されている。可動体１５は、その上端部にナット等の内ネジを形成した連結部１６と、その連結部１６に螺合する長ボルト１７を有している。一方、磁石装置７ａからなる支持台７を介して横梁４の上側に配置される回転駆動部８は減速機構付の電動機などで構成される。水平方向に延長する回転駆動部８の出力軸は、互いに噛合する２つの傘歯車または、ウォームおよびウォームギアを有する９０度方向変換用のギア機構１１の一次側の歯車軸に連結され、その二次側の歯車軸には長ボルト１７の上端部が着脱自在に連結される。
【００３０】
ギア機構１１の二次側の歯車軸に長ボルト１７の上端部を連結するには、長ボルト１７の上部を横梁４に貫通させる必要がある。右側の柱脚３は横梁４にボルト等の固定具１２で固定される位置が決まっているので、その昇降部５の長ボルト１７用の貫通孔は横梁４の所定位置に形成することができる。
【００３１】
しかし左側の柱脚３は、横梁４に対しその軸方向にスライド自在に連結するようになっているので、図２に示すように横梁４に軸方向に延長するスリット１４が設けられている。そして左側の柱脚３に設けた昇降部５の長ボルト１７は、スリット１４を貫通してギア機構１１に連結される。
【００３２】
本実施形態では２つの回転駆動部８が配置されているが、これらの回転駆動部８は共通の制御部９からの駆動信号により駆動することができる。制御部９は例えばサイリスタを使用する駆動制御装置で構成することができ、操作部１０からの操作信号に応じて２つの回転駆動部８に対し同時にまたは個々に所定の可逆回転駆動制御を行う。
【００３３】
図３は昇降部５の分解図であり、図４は図３のＡ−Ａ断面図である。昇降部５を構成する可動体１５は前記のようにコ字状の型鋼材で構成され、その上端の閉塞部に内ネジを形成した連結部１６が固定され、可動体１５の背面の上端にローラ部１８が突設されている。そして柱脚３に細長いチャンネル型の固定ガイド体１９がボルト等の固定具で固定されている。
【００３４】
昇降部５を構成する長ボルト１７の上端部はギア機構１１の一部を構成するソケット１１ａに連結される。具体的にはソケット１１ａの下側に長ボルトの頭部が嵌着され、ソケット１１ａの上側にギア機構１１の二次側の歯車の軸が固定される。そして回転駆動部８の回転は、ギア機構１１の一次側の歯車から二次側の歯車とソケット１１ａを経て長ボルト１７に伝達される。
【００３５】
図３に昇降部５に連結された複数の支持体６部分の詳細を示す。各支持体６は、その根元が昇降部５の可動体１５の上下方向（長手方向）に所定間隔で片持ちに連結され、且つ、そこから斜め上方に延長する断面方形な細長いアーム６ａを有し、アーム６ａの外側はゴム材などの弾性を有する保護チューブ６ｂで覆われている。このようにアーム６ａの外側を保護チューブ６ｂで覆うことにより、支持体６にケーブルを載置する際に、ケーブルに加わるショックを緩和できるので、ケーブル被覆や芯線の損傷事故を防止できる。
【００３６】
（作用）
次にケーブルピットＰに敷設されている撤去すべきケーブルの撤去方法を説明する。図１に示す例では、ケーブルピットＰの中央付近の底部に３本の撤去すべきケーブルＣ１が敷設され、その上方には撤去作業に邪魔になる他の複数のケーブルＣ２が重なった状態で敷設されている。
【００３７】
先ずケーブルピットＰを跨ぐようにして、一対の揚重装置１を配置する。その際、各柱脚３の固定ガイド体１９に可動体１５を案内する。そして、右側の柱脚３と横梁４を固定し、長ボルト１７を可動体１５の連結部１６に螺着し、ケーブルピットＰ上に立設する。次いで、左側の柱脚３を横梁４にシャコ万力を介して連結する。次に、操作部１０からの操作指令で回転駆動部８を駆動し、昇降部５を下方向に移動して支持体６を適当な高さに設定する。
【００３８】
次に撤去に際して邪魔になる他のケーブルＣ２を順次支持体６に載置していく。その際、支持体６のアーム６ａが斜め上方に延長しているので、他のケーブルＣ２をアーム６ａの端からスライドさせながら容易に載置することができる。他のケーブルＣ２を支持体６に所定数載置したことにより、撤去すべきケーブルＣ１が上方から見て露出した状態になったら、他のケーブルＣ２の支持体６への載置操作を停止する。
【００３９】
次に操作部１０で回転駆動部８を駆動し、昇降部５を上昇して撤去作業に際して邪魔にならない高さまで支持体６に載置した他のケーブルＣ２を上昇する。そこで撤去すべきケーブルＣ１を引き抜き又は切断等の処理をしてケーブルピットＰからその一部を上方に持ち上げる。次いで、操作部１０で回転駆動部８を駆動し、昇降部５を適当な高さまで下降して他のケーブルＣ２をケーブルピットＰの所定位置に戻す。
【００４０】
このような作業をケーブルピットに沿って順次、直列的に多数回行い、撤去すべきケーブルＣ１をその全長に渡り完全に持ち上げて、それを引き抜く。順次このような作業を多数回行う理由は、撤去すべきケーブルＣ１を上方に持ち上げる際の、各ケーブルの持ち上げ予長がそれほど長くないからである。なお、上記実施例では、長ボルト１７の頭部をモータにより回転駆動したが、それに代えて、長ボルト１７の頭部を適宜な工具を用いて手動により回転駆動してもよい。
【産業上の利用可能性】
【００４１】
本発明の揚重装置はケーブルピットに敷設されているケーブルの撤去作業に利用できる。
【図面の簡単な説明】
【００４２】
【図１】本発明に係る揚重装置の全体構成を模式的に示す断面図。
【図２】図１の平面図。
【図３】昇降部５の分解図。
【図４】図３のＡ−Ａ断面図。
【符号の説明】
【００４３】
１  揚重装置
２  枠体
３  柱脚
３ａ  支持板
４  横梁
５  昇降部
【００４４】
６  支持体
６ａ  アーム
６ｂ  保護チューブ
７  支持台
７ａ  磁石装置
８  回転駆動部
９  制御部
１０操作部
【００４５】
１１  ギア機構
１１ａ  ソケット
１２  固定具
１３  締結具
１４  スリット
１５  可動体
１６  連結部
【００４６】
１７  長ボルト
１８  ローラ部
１９  固定ガイド体
Ｐ  ケーブルピット
Ｆ．Ｌ  基礎面
Ｃ１  撤去すべきケーブル
Ｃ２  他のケーブル（揚重すべきケーブル）
【図１】
2009201289.tif 000003
【図２】
2009201289.tif 000004
【図３】
2009201289.tif 000005
【図４】
2009201289.tif 000006